(57)【要約】 【課題】  台紙からのラベル剥離を安定的に実施可能で、被貼付物へのラベル貼り付け作業を容易に行なえるラベル及びラベル剥離装置を提供する。【解決手段】  ラベル１の裏面の一部に非粘着部を設け、ラベル剥離装置の剥離台３による台紙２の折り返し先端部近傍に爪４を配して剥離を安定させると共に、ベース５と挟み込んで台紙２からラベル１を完全に剥離する。爪４をスライドさせる事により粘着部を上にした状態でベース５にラベル１だけを残し、上方から被貼付物を落とし込む。【選択図】  図１
2009300566.tif 000002
【特許請求の範囲】
【請求項１】
剥離台の先端部で台紙を鋭角に折り返して剥離する、裏面に粘着部を有するラベルにおいて、前記ラベルの裏面の一部に非粘着部を有することを特徴とするラベル。
【請求項２】
裏面に粘着部を有するラベルが貼付されている台紙を剥離台の先端部で鋭角に折り返してラベルを剥離するラベル剥離装置において、前記ラベルの裏面の一部に設けた非粘着部を爪でガイドしてラベルを剥離する機構を備えたことを特徴とするラベル剥離装置。
【請求項３】
前記ラベルを押止めする機能を備えたことを特徴とする請求項２に記載のラベル剥離装置。
【請求項４】
前記ラベルを台紙から剥離後に、被貼付物を移動させて、前記ラベルを前記被貼付物に貼りつけた後に移動させる機能を備えた請求項２または３に記載のラベル剥離装置。
【発明の詳細な説明】
【技術分野】
【０００１】
本発明は、裏面に粘着部を有するラベル及び、ラベルを台紙から剥離するラベル剥離装置に関するものである。
【背景技術】
【０００２】
帯状の台紙に等間隔で貼り付けられているラベルを台紙から剥離する際は、ラベルのみを吸着しつつ台紙を鋭角的に折り返した端面でラベルの剥離を開始させるなどの方法がとられているが、台紙の送り方向に対して狭い寸法のラベルに関しては吸着面積を確保する事が困難である。
【０００３】
これを解決する手段として、特許文献１では、台紙の送り方向に対して狭い寸法のラベルを剥離させるために台紙の折り返しを台紙の進行方向に対して直角ではなく斜めにした状態で剥離し、エアの吹き付け等によりラベルの姿勢を安定させて吸着する方法が開示されている。
【０００４】
しかし、従来の技術では折り返された台紙に対してラベルが有する粘着力とラベルの強度の関係に剥離動作が大きく影響されるため、剥離方向に対して寸法の短いラベルの場合は剥離されずに台紙と共にラベルが折り返される場合がある。また、剥離が開始された場合であっても、台紙とラベルを完全に剥離するためには吸着を必要とするためラベルの大きさ・表面の粗さ・凹凸によって吸着が出来ない場合がある。
【０００５】
【特許文献１】特開平８−１１８５１号公報
【発明の開示】
【発明が解決しようとする課題】
【０００６】
本発明の技術的課題は、確実に台紙から剥離され、被貼付物に対して容易に貼付できるラベル及びラベル剥離装置を提供することにある。
【課題を解決するための手段】
【０００７】
本発明のラベルは、剥離台の先端部で台紙を鋭角に折り返して剥離する、裏面に粘着部を有するラベルにおいて、前記ラベルの裏面の一部に非粘着部を有することを特徴とする。
【０００８】
本発明のラベル剥離装置は、裏面に粘着部を有するラベルが貼付されている台紙を剥離台の先端部で鋭角に折り返してラベルを剥離するラベル剥離装置において、前記ラベルの裏面の一部に設けた非粘着部を爪でガイドしてラベルを剥離する機構を備えたことを特徴とする。
【０００９】
本発明のラベル剥離装置は、前記ラベルを押止めする機能を備えたことを特徴とする。
【００１０】
本発明のラベル剥離装置は、前記ラベルを台紙から剥離後に、被貼付物を移動させて、前記ラベルを前記被貼付物に貼りつけた後に移動させる機能を備えたことを特徴とする。
【発明の効果】
【００１１】
本発明により、確実に台紙から剥離され被貼付物に対して容易に貼付できるラベル及びラベル剥離装置の提供が可能となった。
【発明を実施するための最良の形態】
【００１２】
以下、本発明の実施の形態を説明する。図２は、本発明によるラベルが貼付された台紙の模式図で、図２（ａ）は台紙を透視した斜視図、図２（ｂ）は正面図である。ラベル１の裏面は、粘着部１ａと、粘着糊のない非粘着部１ｂとからなっており、ラベル１は台紙２に規則的に貼付されている。
【００１３】
ラベルは、ラベル剥離装置に設置されている爪で掴んで形状を維持できれば、四角形に限らず、丸、三角、不定形など、どのような形状でもよい。また、紙のような平面的なものに限らず、立体的なものでもよい。大きさに関しては、ラベル剥離装置に設置されている爪で掴める大きさであればよい。また、ラベル剥離装置に設置されている爪で掴んだり離したりする際に、同一形状を維持できる剛体であれば材質は問わない。
【００１４】
ラベル裏面の非粘着部の形状は、ラベルが剥離される際に非粘着部をラベル剥離装置に設置されている爪がガイドし、ラベル剥離装置に設置されている爪で非粘着部の一部を掴めればよく、四角形に限らず、丸、三角、不定形など、どのような形状でもよい。大きさに関しては、ラベル剥離装置に設置されている爪で掴める大きさであればよい。
【００１５】
図１は、本発明によるラベル剥離装置の模式図である。ラベル１が貼付された台紙２をラベル剥離装置に搭載し、剥離台３で台紙２を鋭角に折り返して、ラベル１を剥離する。台紙２を鋭角に折り返す剥離台３の先端部近傍にはラベル１を受けるためのベース５と、非粘着部に合致する位置へ剥離を補助するための爪４とが配置されている。
【００１６】
図３〜７にて、本発明のラベル剥離装置の動作を説明する。図３は、本発明によるラベル剥離装置に用いる台紙の移動開始を説明する模式図である。台紙２は、剥離台３で鋭角に折り返した後の進行方向の延長線上に配したモーター等の駆動により移動し、ラベル１が剥離される際に非粘着部を爪４がガイドする事で剥離を安定させる。
【００１７】
図４は、本発明によるラベル剥離装置に用いる台紙の移動完了を説明する模式図である。台紙２から剥離されたラベル１が、ベース５に設けたセンサーに反応する事により台紙２の移動が停止する。
【００１８】
図５は、本発明によるラベル剥離装置に用いる爪の降下を説明する模式図である。ラベル１が十分に剥離した状態で爪４を降下させて、爪４とベース５でラベル１を挟み込む。
【００１９】
図６は、本発明によるラベル剥離装置に用いる爪とベースの移動を説明する模式図である。爪４とベース５を、ラベル１を挟み込んだまま、ラベル１の進行方向へ移動させる事により台紙２から完全にラベル１を剥離する。
【００２０】
図７は、本発明によるラベル剥離装置に用いる爪の移動を説明する模式図である。爪４は、上昇してからラベル１の進行方向に移動する。爪４はラベル１の非粘着部にのみ触れているので、粘着部が爪４へ付着することは無く、爪４をラベル１から容易に離脱することができ、ラベル１が動いたりして位置を変えることはない。爪４を離脱した後は、ラベルの裏面を開放した状態となり、粘着部が上面となっているので、被貼付物を落とし込む移動機構を備えることで、上方より被貼付物を落とし込み、ラベル１を被貼付物の所望の位置に容易に貼り付けることができる。その後、被貼付物は移動させられる。
【実施例】
【００２１】
以下に、本発明の実施例を詳述する。
【００２２】
本発明の実施例としてラベルおよびラベル剥離装置について図１を参照して説明する。ラベル１は、台紙２に規則的に貼付されている。台紙２は上側にあり、ラベル１は下側にある。ここで用いたラベルのサイズは、縦３３．５ｍｍ×横３．５ｍｍ×厚さ０．１５ｍｍであった。ラベルには、縦４．０ｍｍ×横３．５ｍｍの非粘着部が２箇所ある。
【００２３】
ラベル１が貼付された台紙２をラベル剥離装置に搭載した。被貼付物には、縦３４ｍｍ×横４ｍｍ×高さ４８ｍｍの電池パックを用いた。台紙２を鋭角に折り返す剥離台３の先端部近傍にはラベル１を受けるためのベース５と、非粘着部に合致する位置へ剥離を補助するための爪４を配置した。剥離台３で台紙２を鋭角に折り返して、ラベル１を剥離し、電池パックに貼付した。
【００２４】
本発明のラベル剥離装置を用いることで、ラベルを剥離し、電池パックに貼り付ける工数は、従来の作業時間３秒から１秒に短縮された。また、従来数パーセントの割合で生じていた、ラベルが剥離されずに台紙と共に巻き取られ作業が停止するようなロスは、５０００枚の連続工事で、全く発生しなかった。
【００２５】
これより、ラベルは確実に台紙から剥離され、被貼付物に対して容易に貼付できることがわかった。また、作業時間が短縮され、生産性が３倍に向上しており、作業の停止による装置の稼働ロスもなくなった。
【図面の簡単な説明】
【００２６】
【図１】本発明によるラベル剥離装置の模式図。
【図２】本発明によるラベルが貼付された台紙の模式図、図２（ａ）は台紙を透視した斜視図、図２（ｂ）は正面図。
【図３】本発明によるラベル剥離装置に用いる台紙の移動開始を説明する模式図。
【図４】本発明によるラベル剥離装置に用いる台紙の移動完了を説明する模式図。
【図５】本発明によるラベル剥離装置に用いる爪の降下を説明する模式図。
【図６】本発明によるラベル剥離装置に用いる爪とベースの移動を説明する模式図。
【図７】本発明によるラベル剥離装置に用いる爪の移動を説明する模式図。
【符号の説明】
【００２７】
１    ラベル
１ａ    粘着部
１ｂ    非粘着部
２    台紙
３    剥離台
４    爪
５    ベース
【図１】
2009300566.tif 000003
【図２】
2009300566.tif 000004
【図３】
2009300566.tif 000005
【図４】
2009300566.tif 000006
【図５】
2009300566.tif 000007
【図６】
2009300566.tif 000008
【図７】
2009300566.tif 000009